(57)【特許請求の範囲】
【請求項１】
書籍の製造方法であって、
裁断装置によってロール紙を必要なサイズに裁断するステップ（１）と、
書籍内容と表紙に対し製版するステップ（２）と、
前記ステップ（２）において作られた印板を利用して書籍内容をステップ（１）において作られた紙に印刷するステップ（３）と、
前記ステップ（３）において内容の印刷した紙をページ番号に基づいて書籍のサイズに折り畳るステップ（４）と、
前記ステップ（４）において折り畳まれた紙をページ番号によってまだ綴じていない中本にするステップ（５）と、
本の背にベース接着剤を塗装し、表紙において本の背に近接する部分にホットメルトを塗装し、中本が成形するステップ（６）と、
前記ステップ（４）において作られた表紙の中央部付近に、中本及び本の背に対応するように、二つの折り跡を折り、二つの折り跡の間の部分を接着面とするステップ（７）と、
前記ステップ（６）において中本の背に塗装されたホットメルトによって、本の背を前記ステップ（７）において形成された接着面と接着するステップ（８）と、
無線綴じ後の書籍を平らに押圧し、そして書籍の三辺を裁断し、書籍が完成するステップ（９）と、を含み、
前記ステップ（１）から前記ステップ（９）までにおいて、前記ステップ（１）は、台座（１）と、箱板（２）と、回転装置と、裁断装置とによって実行し、
前記台座（１）は、前記台座（１）に固定して設けられる前記箱板（２）と、前記箱板（２）の右端内に形成される紙貯蔵空間（３）と、前記箱板（２）の左端内部に形成された紙裁断空間（９）と、前記紙貯蔵空間（３）の内部に設けられる前記回転装置と、前記紙裁断空間（９）の内部に設けられる前記裁断装置と、前記箱板（２）における上表面の左端に固定して設けられる固定板（５）と、前記固定板（５）に取り外し可能に接続されるモータ（６）と、前記箱板（２）の側壁に固定して設けられる圧着軸（１１）と、前記圧着軸（１１）に移動可能に接続される圧着車（１２）とを含み、
前記回転装置は、前記紙貯蔵空間（３）の側壁に取り外し可能に接続される回転軸（１３）と、前記回転軸（１３）に回転自在に接続される回転車（１４）と、前記紙貯蔵空間（３）の左端側壁に回転自在に接続される伝動車（４）と、を含み、
前記回転車（１４）と前記圧着車（１２）とは、伝動用鎖によって前記モータ（６）の出力端に接続され、
前記裁断装置は、位置規制部品と、収集部品と、を含み、
前記位置規制部品は、前記紙裁断空間（９）の側壁の上端に形成される接続貫穴（２０）と、前記接続貫穴（２０）の内部に摺動可能に接続される接続板（２１）と、前記接続板（２１）に摺動可能に接続される圧着板（２２）と、前記箱板（２）における側壁の上表面に摺動可能に接続される摺動板（２６）と、前記摺動板（２６）の側端に固定して接続される伝動ブロック（１５）と、前記摺動板（２６）の左右両端に固定して接続されるシリンダー（１０）と、前記シリンダー（１０）の出力端に固定して接続される伝動板（２５）と、前記伝動板（２５）の下端に固定して接続される紙裁断刃（２４）と、前記伝動板（２５）における下端の左側面に固定して接続される押圧板（２３）と、前記圧着板（２２）に形成される収縮溝（３０）と、前記収縮溝（３０）に摺動可能に接続される収縮ブロック（２９）と、前記接続板（２１）の内部側壁に形成される上接続溝（２７）と、前記接続板（２１）の内部側壁に形成される下接続溝（２８）と、を含み、
前記位置規制部品は、前記紙裁断空間（９）における側壁の上端に固定して設けられる受け板（３１）と、前記受け板（３１）の左端に固定して接続される案内板（３２）と、前記紙裁断空間（９）における側壁の上端に固定して設けられる紙押さえブロック（３９）と、前記紙押さえブロック（３９）の下表面に形成される紙押さえ溝（３５）と、前記紙押さえ溝（３５）内に摺動可能に接続される紙押さえ板（３３）と、前記紙押さえ板（３３）の側壁に形成される係止溝（３４）と、前記紙押さえブロック（３９）の側壁に形成される複数の起動板溝（３８）と、複数の前記起動板溝（３８）の内部に摺動可能に接続される起動ブロック（３７）と、前記起動ブロック（３７）の側端に固定して設けられる起動板（３６）と、前記接続貫穴（２０）の前端に固定して設けられる押圧突起ブロック（４７）と、を更に含む、
ことを特徴とする書籍の製造方法。
【請求項２】
前記接続板（２１）は、前記伝動ブロック（１５）に固定して接続され、
前記伝動ブロック（１５）は、前記モータ（６）の上を回転する伝動用鎖と噛み合って設けられ、
前記シリンダー（１０）が下方へ前記シリンダー（１０）を押圧する時には、前記押圧板（２３）が前記圧着板（２２）を押圧することができる、
ことを特徴とする請求項１に記載の書籍の製造方法。
【請求項３】
前記紙押さえ板（３３）は、ばねによって前記紙押さえ溝（３５）の上端に接続され、
前記起動板（３６）と前記紙押さえブロック（３９）の側壁とは、ばねによって接続され、
前記起動ブロック（３７）は、前記係止溝（３４）の内部を往復摺動することができ、
前記起動ブロック（３７）の前端は、三十度の斜角である、
ことを特徴とする請求項１に記載の書籍の製造方法。
【請求項４】
前記収集部品は、前記紙裁断空間（９）の側壁に形成される収集空間（４５）と、前記収集空間（４５）の側壁に形成される収集貫穴（４６）と、前記収集貫穴（４６）の内部に摺動可能に設けられる収集軸（４２）と、前記収集軸（４２）に固定して接続される押し動かし板（４３）と、前記収集空間（４５）内に設けられる凸凹板（４１）と、前記凸凹板（４１）の側壁に固定して接続される収集板（７）と、前記収集板（７）の前端に形成される収集溝（８）と、を含む、
ことを特徴とする請求項１に記載の書籍の製造方法。
【請求項５】
前記収集軸（４２）は、前記収集貫穴（４６）によって前記伝動ブロック（１５）に固定して接続され、
前記押し動かし板（４３）は、前記凸凹板（４１）の上表面に沿って摺動し、
前記収集板（７）は、前記紙裁断空間（９）の下面とばねによって接続される、
ことを特徴とする請求項４に記載の書籍の製造方法。
【発明の詳細な説明】
【技術分野】
【０００１】
本願発明は、印刷分野に関し、具体的には書籍の製造方法に関する。
【背景技術】
【０００２】
書籍の製造において、ロールに巻かれた紙を裁断することが必要である。また、一枚ずつ裁断しかできず、裁断具と紙とを回数を重ねて位置合わせする必要があり、また、裁断後に紙を作業員によって収集して揃えなければならなく、また、後の紙が前の紙を押圧して圧痕を生じ、美観に影響する。
【先行技術文献】
【特許文献】
【０００３】
【特許文献１】中国特許出願公開第１１０８５６９４７号明細書
【発明の概要】
【発明が解決しようとする課題】
【０００４】
本発明は、上記の技術的課題を解決するために、書籍の製造方法を提供することを目的とする。本発明に関わる書籍の製造方法は、裁断距離の精確性を確保し、紙を自動的に集めてぴったりと重ね、紙に圧痕がないなどのメリットを有する。
【課題を解決するための手段】
【０００５】
上記の目的を実現するために、本発明の書籍の製造方法は、裁断装置によってロール紙を必要なサイズに裁断するステップ１と、書籍内容と表紙に対し製版するステップ２と、前記ステップ２において作られた印板を利用して書籍内容をステップ１において作られた紙に印刷するステップ３と、前記ステップ３において内容の印刷した紙をページ番号に基づいて書籍のサイズに折り畳るステップ４と、前記ステップ４において折り畳まれた紙をページ番号によってまだ綴じていない中本にするステップ５と、本の背にベース接着剤を塗装し、表紙において本の背に近接する部分にホットメルトを塗装し、中本が成形するステップ６と、前記ステップ４において作られた表紙の中央部付近に、中本及び本の背に対応するように、二つの折り跡を折り、二つの折り跡の間の部分を接着面とするステップ７と、前記ステップ６において中本の背に塗装されたホットメルトによって、本の背を前記ステップ７において形成された接着面と接着するステップ８と、無線綴じ後の書籍を平らに押圧し、そして書籍の三辺を裁断し、書籍が完成するステップ９と、を含む。
【０００６】
前記ステップ１から前記ステップ９までにおいて、前記ステップ１は、台座と、箱板と、回転装置と、裁断装置とによって実行し、前記台座は、前記台座に固定して設けられる前記箱板と、前記箱板の右端内に形成される紙貯蔵空間と、前記箱板の左端内部に形成された紙裁断空間と、前記紙貯蔵空間の内部に設けられる前記回転装置と、前記紙裁断空間の内部に設けられる前記裁断装置と、前記箱板における上表面の左端に固定して設けられる固定板と、前記固定板に取り外し可能に接続されるモータと、前記箱板の側壁に固定して設けられる圧着軸と、前記圧着軸に移動可能に接続される圧着車とを含む。
【０００７】
前記回転装置は、前記紙貯蔵空間の側壁に取り外し可能に接続される回転軸と、前記回転軸に回転自在に接続される回転車と、前記紙貯蔵空間の左端側壁に回転自在に接続される伝動車と、を含み、前記回転車と前記圧着車とは、伝動用鎖によって前記モータの出力端に接続される。
【０００８】
前記裁断装置は、位置規制部品と、収集部品と、を含み、前記位置規制部品は、前記紙裁断空間の側壁の上端に形成される接続貫穴と、前記接続貫穴の内部に摺動可能に接続される接続板と、前記接続板に摺動可能に接続される圧着板と、前記箱板における側壁の上表面に摺動可能に接続される摺動板と、前記摺動板の側端に固定して接続される伝動ブロックと、前記摺動板の左右両端に固定して接続されるシリンダーと、前記シリンダーの出力端に固定して接続される伝動板と、前記伝動板の下端に固定して接続される紙裁断刃と、前記伝動板における下端の左側面に固定して接続される押圧板と、前記圧着板に形成される収縮溝と、前記収縮溝に摺動可能に接続される収縮ブロックと、前記接続板の内部側壁に形成される上接続溝と、前記接続板の内部側壁に形成される下接続溝と、を含み、前記接続板は、前記伝動ブロックに固定して接続され、前記伝動ブロックは、前記モータの上を回転する伝動用鎖と噛み合って設けられ、前記シリンダーが下方へ前記シリンダーを押圧する時には、前記押圧板が前記圧着板を押圧することができる。
【０００９】
前記位置規制部品は、前記紙裁断空間における側壁の上端に固定して設けられる受け板と、前記受け板の左端に固定して接続される案内板と、前記紙裁断空間における側壁の上端に固定して設けられる紙押さえブロックと、前記紙押さえブロックの下表面に形成される紙押さえ溝と、前記紙押さえ溝内に摺動可能に接続される紙押さえ板と、前記紙押さえ板の側壁に形成される係止溝と、前記紙押さえブロックの側壁に形成される複数の起動板溝と、複数の前記起動板溝の内部に摺動可能に接続される起動ブロックと、前記起動ブロックの側端に固定して設けられる起動板と、前記接続貫穴の前端に固定して設けられる押圧突起ブロックと、を更に含み、前記紙押さえ板は、ばねによって前記紙押さえ溝の上端に接続され、前記起動板と前記紙押さえブロックの側壁とは、ばねによって接続され、前記起動ブロックは、前記係止溝の内部を往復摺動することができ、前記起動ブロックの前端は、三十度の斜角である。
【００１０】
前記収集部品は、前記紙裁断空間の側壁に形成される収集空間と、前記収集空間の側壁に形成される収集貫穴と、前記収集貫穴の内部に摺動可能に設けられる収集軸と、前記収集軸に固定して接続される押し動かし板と、前記収集空間内に設けられる凸凹板と、前記凸凹板の側壁に固定して接続される収集板と、前記収集板の前端に形成される収集溝と、を含み、前記収集軸は、前記収集貫穴によって前記伝動ブロックに固定して接続され、前記押し動かし板は、前記凸凹板の上表面に沿って摺動し、前記収集板は、前記紙裁断空間の下面とばねによって接続される。
【発明の効果】
【００１１】
本発明に関わる書籍の製造方法は、従来技術と比べ、下記のメリットを有する。
【００１２】
伝動車４を設置することで、モータ６に回転軸１３を連動させ、ロール紙がしたがって旋回し、これによってロール紙が裁断中に裂断して、経済損失になることを回避し、また、伝動車４は、ロール紙の摺動性を保証できる。
【００１３】
収集軸４２と、押し動かし板４３及び凸凹板板４１を設置することで、凸凹板４１の移動過程において収集板７がばねの作用によって上下に振動し、収集板７の振動によって紙が人力を頼らずに平らに収集板７に敷設されるとともに、移動している収集軸４２が折り返された紙と側壁に落ちた紙を平らに置き、裁断完了後に収集溝８によって揃った紙を集め、書籍植字に準備する。
【図面の簡単な説明】
【００１４】
本願に記載の各方向が、図１と同じ向きに装置を見た際の方向である。
【００１５】
【図１】本発明に関わる書籍の製造方法のフローチャートである。
【図２】本発明に関わる書籍の製造方法の構造図である。
【図３】本発明の上面図である。
【図４】図３のＢ―Ｂ線に沿う断面斜視図である。
【図５】図４におけるＱの部分の拡大図である。
【図６】図４におけるＳの部分の拡大図である。
【図７】図３のＥ―Ｅ線に沿う断面斜視図である。
【図８】図７におけるＦの部分の拡大図である。
【発明を実施するための形態】
【００１６】
以下、図１〜図８を参照しながら本実施形態について説明する。本発明の実施例に係る技術的内容を明確かつ完全に説明する。明らかに、以下に説明する実施例は、本発明の実施例の一部にすぎず、すべての実施例ではない。本発明の実施例に基づいて、当業者は、創作的な努力なしで得られるすべての実施例は、本発明の保護範囲内に含まれる。
【００１７】
図１〜８に示すように、本発明の書籍の製造方法は、裁断装置によってロール紙を必要なサイズに裁断するステップ１と、書籍内容と表紙に対し製版するステップ２と、ステップ２において作られた印板を利用して書籍内容をステップ１において作られた紙に印刷するステップ３と、ステップ３において内容の印刷した紙をページ番号に基づいて書籍のサイズに折り畳るステップ４と、ステップ４において折り畳まれた紙をページ番号によってまだ綴じていない中本にするステップ５と、本の背にベース接着剤を塗装し、表紙において本の背に近接する部分にホットメルトを塗装し、中本が成形するステップ６と、ステップ４において作られた表紙の中央部付近に、中本及び本の背に対応するように、二つの折り跡を折り、二つの折り跡の間の部分を接着面とするステップ７と、ステップ６において中本の背に塗装されたホットメルトによって、本の背をステップ７において形成された接着面と接着するステップ８と、無線綴じ後の書籍を平らに押圧し、そして書籍の三辺を裁断し、書籍が完成するステップ９と、を含む。
【００１８】
ステップ１からステップ９までにおいて、ステップ１は、台座１と、箱板２と、回転装置と、裁断装置とによって実行し、台座１は、台座１に固定して設けられる箱板２と、箱板２の右端内に形成される紙貯蔵空間３と、箱板２の左端内部に形成された紙裁断空間９と、紙貯蔵空間３の内部に設けられる回転装置と、紙裁断空間９の内部に設けられる裁断装置と、箱板２における上表面の左端に固定して設けられる固定板５と、固定板５に取り外し可能に接続されるモータ６と、箱板２の側壁に固定して設けられる圧着軸１１と、圧着軸１１に移動可能に接続される圧着車１２とを含み、回転装置は、紙貯蔵空間３の側壁に取り外し可能に接続される回転軸１３と、回転軸１３に回転自在に接続される回転車１４と、紙貯蔵空間３の左端側壁に回転自在に接続される伝動車４と、を含み、回転車１４と圧着車１２とは、伝動用鎖によってモータ６の出力端に接続され、使用する前に、伝動用鎖によってモータ６の出力端を回転車１４と接続し、そして伝動用鎖を、圧着車１２とモータ６の出力端の平面内に水平に回転させるように、圧着車１２の下方に押さえ、ロール紙を回転軸１３に外装し、ロールの開始端を回転車４から引き出し、モータ６によって回転軸１３がロール紙を連動させて回転させ、これによってロール紙が裁断中に裂断して経済損失をもたらすことを回避でき、伝動車４は、ロール紙の摺動性と安全性を保証できる。
【００１９】
裁断装置は、位置規制部品と、収集部品と、を含み、位置規制部品は、紙裁断空間９の側壁の上端に形成される接続貫穴２０と、接続貫穴２０の内部に摺動可能に接続される接続板２１と、接続板２１に摺動可能に接続される圧着板２２と、箱板２における側壁の上表面に摺動可能に接続される摺動板２６と、摺動板２６の側端に固定して接続される伝動ブロック１５と、摺動板２６の左右両端に固定して接続されるシリンダー１０と、シリンダー１０の出力端に固定して接続される伝動板２５と、伝動板２５の下端に固定して接続される紙裁断刃２４と、伝動板２５における下端の左側面に固定して接続される押圧板２３と、圧着板２２に形成される収縮溝３０と、収縮溝３０に摺動可能に接続される収縮ブロック２９と、接続板２１の内部側壁に形成される上接続溝２７と、接続板２１の内部側壁に形成される下接続溝２８と、を含み、接続板２１は、伝動ブロック１５に固定して接続され、伝動ブロック１５は、モータ６の上を回転する伝動用鎖と噛み合って設けられ、シリンダー１０が下方へシリンダー１０を押圧する時には、押圧板２３が圧着板２２を押圧することができ、伝動車４から引き出されるロール紙の開始端は、圧着板２２の下表面と接続板２１の上表面から抜き出され、これによってロール紙の開始端が接続板２１の前端と面一になり、手で圧着板２２を下方に押圧し、収縮ブロック２９が上方からの押圧力によって上接続溝２７から収縮溝３０の内部に収縮し、圧着板２２が下方に移動してロール紙を圧着し、収縮ブロック２９がばねの作用によって収縮溝３０から下接続溝２８の内部に押し入れられ、これによって圧着板２２の位置を規制するとともに、圧着板２２が移動中に離脱するのを回避し、ロール紙が接続板２１にしたがって前方へ摺動することを保証することができ、伝動ブロック１５は、ラックの上面に噛み合って設けられるため、回転車１４に連動して回転し、そしてロール紙の回転速度を接続板２１の移動速度と同じにすることができる。
【００２０】
位置規制部品は、紙裁断空間９における側壁の上端に固定して設けられる受け板３１と、受け板３１の左端に固定して接続される案内板３２と、紙裁断空間９における側壁の上端に固定して設けられる紙押さえブロック３９と、紙押さえブロック３９の下表面に形成される紙押さえ溝３５と、紙押さえ溝３５内に摺動可能に接続される紙押さえ板３３と、紙押さえ板３３の側壁に形成される係止溝３４と、紙押さえブロック３９の側壁に形成される複数の起動板溝３８と、複数の起動板溝３８の内部に摺動可能に接続される起動ブロック３７と、起動ブロック３７の側端に固定して設けられる起動板３６と、接続貫穴２０の前端に固定して設けられる押圧突起ブロック４７と、を更に含み、紙押さえ板３３は、ばねによって紙押さえ溝３５の上端に接続され、起動板３６と紙押さえブロック３９の側壁とは、ばねによって接続され、起動ブロック３７は、係止溝３４の内部を往復摺動することができ、起動ブロック３７の前端は、三十度の斜角であり、モータ６の回転により、伝動用鎖が回転車１４を回転させ、ロール紙が出されるとともに、伝動ブロック１５が前方へ移動して接続板２１を前方へ移動させ、前端に移動した接続板２１が圧着板２２の側面を利用して起動板３６を押圧し、起動板３６が起動ブロック３７を連動させ、起動ブロック３７が紙押さえ溝３５から係止溝３４の内部まで摺動し、紙押さえ板３３が受け板３１と離れ、接続板２１における下端の右側面が案内板３２と密着し、押圧突起ブロック４７が上方へ圧着板２２を押圧し、収縮ブロック２９が圧力によって下接続溝２８から収縮溝３０の内部に収縮し、圧着板２２が上方へ移動してロール紙から離れ、収縮ブロック２９がばねの作用によって収縮溝３０から上接続溝２７の内部に押入れられ、モータ６が反転し、伝動用鎖が接続板２１を左方に移動させ、伝動用鎖が回転車１４を空回りさせ、圧着板２２が起動板３６から離れ、ばねの作用によって起動板３６が起動ブロック３７を復位させ、紙押さえ板３３がばねの作用によって下方へ受け板３１の上にある紙を押圧し、箱板２の上表面にある目盛りによって裁断距離を確認し、所定距離に達した後にシリンダー１０を起動し、シリンダー１０が下方に移動し、押圧板２３が最初に圧着板２２を押圧し、収縮ブロック２９が下圧力の作用によって上接続溝２７から収縮溝３０内に収縮し、収縮ブロック２９がばねの作用によって収縮溝３０から下接続溝２８内に押入れられ、紙裁断刃２４が紙を裁断し、圧着板２２が再び下方に押されることで、ロール紙が圧着され、これによって裁断される紙をピンと張らせ、裁断中に紙が滑り、裁断が傾斜してしまうことなく、後のロール紙が接続板２１に圧着し、ロール紙に対する裁断を順調に実現し、実用性と作動効率を向上させる。
【００２１】
収集部品は、紙裁断空間９の側壁に形成される収集空間４５と、収集空間４５の側壁に形成される収集貫穴４６と、収集貫穴４６の内部に摺動可能に設けられる収集軸４２と、収集軸４２に固定して接続される押し動かし板４３と、収集空間４５内に設けられる凸凹板４１と、凸凹板４１の側壁に固定して接続される収集板７と、収集板７の前端に形成される収集溝８と、を含み、収集軸４２は、収集貫穴４６によって伝動ブロック１５に固定して接続され、押し動かし板４３は、凸凹板４１の上表面に沿って摺動し、収集板７は、紙裁断空間９の下面とばねによって接続される。裁断された紙が収集軸４２に落ち、モータ６が回転し、接続板２１が右方に連動し、圧着板２２の側壁が再び起動板３６を押圧する時、起動板３６が起動ブロック３７を連動させ、起動ブロック３７が紙押さえ溝３５から係止溝３４の内部まで摺動し、紙押さえ板３３が受け板３１と離れ、紙押さえ板３３にある裁断後の紙が重力作用によって落ち、ロール紙の開始端が再び紙押さえ板３３と受け板３１の押圧面との間に入り、接続板２１における下端の右側面が案内板３２と密着し、押圧突起ブロック４７が上方へ圧着板２２を押圧し、収縮ブロック２９が圧力によって下接続溝２８から収縮溝３０の内部に収縮し、圧着板２２が上方へ移動してロール紙から離れ、収縮ブロック２９がばねの作用によって収縮溝３０から上接続溝２７の内部に押入れられ、裁断を順調に行い、紙を裁断する長さの精確性を保証し、作業員の労働強度を減らし、モータ６が反転し、伝動用鎖が接続板２１を左方に移動させ、伝動用鎖が回転車１４を空回りさせ、圧着板２２が起動板３６から離れ、ばねの作用によって起動板３６が起動ブロック３７を復位させ、収集軸４２が伝動用鎖の作用によって押し動かし板４３を同時に運動させ、運動中に凸凹板４１が収集板７をばねの作用によって上下に振動させ、振動によって紙が平らに収集板７に敷設され、整理する必要がなく、また、運動している収集軸４２が折り返された紙と側壁に落ちた紙を平らに置き、裁断完了後に収集溝８によって揃った紙を集め、書籍植字に準備する。
【要約】      （修正有）【課題】裁断距離の精確性を確保し、紙を自動的に集めてぴったりと重ね、紙に圧痕がないなどのメリットを有する書籍の製造工芸を提供する。【解決手段】ロール紙を必要なサイズに裁断するステップ１と、書籍内容と表紙に対し製版するステップ２と、該ステップ２において作られた印板を利用して書籍内容を該ステップ１において作られた紙に印刷するステップ３と、該ステップ３において内容を印刷した紙をページ番号に基づいて書籍のサイズに折り畳るステップ４と、該ステップ４において折り畳まれた紙をページ番号によってまだ綴じていない中本にするステップ５と、本の背にベース接着剤を塗装し、表紙において本の背に近接する部分にホットメルトを塗装し、中本が成形するステップ６と、該ステップ４において作られた表紙の中央部付近に、中本及び本の背に対応するように、二つの折り跡を折り、二つの折り跡の間の部分を接着面とするステップ７などを含む。【選択図】図１【図１】
0006959481.tif 000002
【図２】
0006959481.tif 000003
【図３】
0006959481.tif 000004
【図４】
0006959481.tif 000005
【図５】
0006959481.tif 000006
【図６】
0006959481.tif 000007
【図７】
0006959481.tif 000008
【図８】
0006959481.tif 000009